(57)【要約】【課題】  従来のスピーカー装置においては、スピーカーユニットの音波が放射される方向と平行する方向にバスレフダクトを延在させる構成となっていたため、スピーカーユニット及びバスレフダクトが収納されるスピーカーボックスの奥行き方向の長さが大きくなり、スピーカー装置の奥行き寸法が大きくて奥行き方向に大型化されていた。【解決手段】  スピーカーユニット２１，２２が取り付けられたスピーカーボックス２０に開口部３１を設け、その開口部にバスレフダクト２６，２７の一端を接続してバスレフダクトをスピーカーボックス内に収納したスピーカー装置に関する。開口部３１は、スピーカーユニット２１，２２が取り付けられた正面部２３ａと直交する下面部２３ｃに開口させて設け、そのスピーカーユニットの音波が放射される方向と直交する方向にバスレフダクト２６，２７を延在させる。【選択図】  図３   
2006033100.tif 000002
【特許請求の範囲】
【請求項１】
スピーカーユニットが取り付けられたスピーカーボックスに開口部を設け、当該開口部にバスレフダクトの一端を接続して当該バスレフダクトを前記スピーカーボックス内に収納したスピーカー装置において、
前記開口部は、前記スピーカーユニットが取り付けられた面と直交する面に開口させて設け、当該スピーカーユニットの音波が放射される方向と直交する方向に前記バスレフダクトを延在させたことを特徴とするスピーカー装置。
【請求項２】
前記開口部は、前記スピーカーユニットを挟んで両側に線対称又は点対称となるように配置して複数箇所に設け、当該開口部と同数の前記バスレフダクトを前記スピーカーユニットを挟んで両側に線対称又は点対称となるように配置したことを特徴とする請求項１記載のスピーカー装置。
【請求項３】
前記スピーカーボックスは、背面部が開口され且つ正面部に前記スピーカーユニットが取り付けられるボックス本体と、当該ボックス本体の前記背面部に着脱可能に装着される蓋体とを有し、
前記ボックス本体の上面部、下面部、左側面部及び右側面部の少なくとも１箇所に前記開口部を設けたことを特徴とする請求項１記載のスピーカー装置。
【請求項４】
前記スピーカーボックスは、正面部が開口されるボックス本体と、当該ボックス本体の前記正面部に着脱可能に装着されると共に前記スピーカーユニットが取り付けられる蓋体とを有し、
前記ボックス本体の上面部、下面部、左側面部及び右側面部の少なくとも１箇所に前記開口部を設けたことを特徴とする請求項１記載のスピーカー装置。
【請求項５】
前記開口部には、前記スピーカーボックスの内側に突出するボックス側接続部を設け、当該ボックス側接続部及び前記バスレフダクトのダクト側接続部のうち、一方の接続部にはテーパ部を設け、他方の接続部には前記テーパ部に嵌合されるテーパ受け部を設けたことを特徴とする請求項１記載のスピーカー装置。
【請求項６】
前記バスレフダクトには、前記スピーカーボックスのボスにねじ止めするための固定片を設け、当該固定片には前記ボックス側接続部に向かって傾斜した斜面部を設けると共に、前記ボスには前記斜面部に対応して同方向に傾斜した斜受面部を設け、前記ねじ止め時に前記斜面部を前記斜受面部に沿って移動させて前記ダクト側接続部を前記ボックス側接続部に圧接したことを特徴とする請求項５記載のスピーカー装置。
【請求項７】
前記固定片は前記バスレフダクトの中心線を挟んで両側に一対設けると共に、前記スピーカーボックスの前記一対の固定片と対応する位置に前記ボスを一対設けたことを特徴とする請求項６記載のスピーカー装置。
【発明の詳細な説明】
【技術分野】
【０００１】
本発明は、スピーカーボックスに設けた開口部（ポート）にバスレフダクトを取り付け、スピーカーユニットの背面に放射される音波の一部を、バスレフダクトを通して前面からの音波と位相をそろえて放射させ、低音部の増強を目的としたスピーカー装置に関するものである。
【背景技術】
【０００２】
従来の、この種のスピーカー装置としては、例えば、特許文献１に記載されているようなものがある。特許文献１には、ポートの前方にスピーカーユニットを配置したバスレフ型スピーカーシステムに関するものが記載されている。このスピーカーシステムは、「２つ以上のスピーカーユニットを有するバスレフ型スピーカーシステムにおいて、ポートの前方にスピーカーユニットを配置し、前記ポートとスピーカーユニットの間に吸音材を配置した」ことを特徴としている。
【０００３】
このような構成を有するスピーカーシステムによれば、「スピーカーの裏面から発生する不要な音と、ポートから放射される不要な音を１つの吸音材で除去することができ、また、スピーカーシステムを小型にすることができる」という効果が期待される。
【０００４】
また、従来の他のスピーカー装置としては、例えば、特許文献２に記載されているようなものもある。特許文献２には、電気信号を音響信号に変換するスピーカー装置に関するものが記載されている。このスピーカー装置は、「前方側に開口部を有する前室部と、上記開口部を閉塞して取付けられた音響抵抗部材と、上記前室部に対して隔壁部を介してこの前室部の後方側に設けられた後室部と、上記隔壁部に取付けられ、放音部を上記前室部内に臨ませ、背面部を上記後室部内に臨ませたスピーカーユニットと、上記後室部内より前方側に向けて配設され、該後室部内を前方側外方に通じさせる中空ダクトとを備えた」ことを特徴としている。
【０００５】
このような構成を有するスピーカー装置によれば、「耐入力特性（制動特性）が良好であり、電気信号の音響への変換効率が良好であり、また、再生音響の周波数―音圧特性が良好であり、さらに、音の遅れ感のない良好な音質の音響再生が行える。」等の効果が期待される。
【特許文献１】特開平１１−４１６８０号公報（第２頁、図１）
【特許文献２】特開平９−９３６８６号公報（第３頁、図１）
【０００６】
しかしながら、上述したような従来のスピーカー装置においては、特許文献１及び２のいずれに記載された発明の場合にも、スピーカーユニットの音波が放射される方向と平行する方向にバスレフダクトを延在させる構成となっていた。そのため、スピーカーユニット及びバスレフダクトが収納されるスピーカーボックスの奥行き方向の長さが大きくなり、スピーカー装置の奥行き寸法が大きく、スピーカー装置が奥行き方向に大型化されているという課題があった。
【発明の開示】
【発明が解決しようとする課題】
【０００７】
解決しようとする問題点は、従来のスピーカー装置では、スピーカーユニットの音波が放射される方向と平行する方向にバスレフダクトが延在されていたため、スピーカー装置の奥行き寸法が大きくなり、スピーカー装置が奥行き方向に大型化されているという点である。
【課題を解決するための手段】
【０００８】
本発明の請求項１記載のスピーカー装置は、スピーカーユニットが取り付けられたスピーカーボックスに開口部を設け、その開口部にバスレフダクトの一端を接続してバスレフダクトをスピーカーボックス内に収納したスピーカー装置において、開口部は、スピーカーユニットが取り付けられた面と直交する面に開口させて設け、そのスピーカーユニットの音波が放射される方向と直交する方向にバスレフダクトを延在させたことを最も主要な特徴とする。
【０００９】
本発明の請求項２記載のスピーカー装置は、開口部は、スピーカーユニットを挟んで両側に線対称又は点対称となるように配置して複数箇所に設け、その開口部と同数のバスレフダクトをスピーカーユニットを挟んで両側に線対称又は点対称となるように配置したことを特徴とする。
【００１０】
本発明の請求項３記載のスピーカー装置は、スピーカーボックスは、背面部が開口され且つ正面部にスピーカーユニットが取り付けられるボックス本体と、そのボックス本体の背面部に着脱可能に装着される蓋体とを有し、ボックス本体の上面部、下面部、左側面部及び右側面部の少なくとも１箇所に開口部を設けたことを特徴としている。
【００１１】
本発明の請求項４記載のスピーカー装置は、スピーカーボックスは、正面部が開口されるボックス本体と、そのボックス本体の正面部に着脱可能に装着されると共にスピーカーユニットが取り付けられる蓋体とを有し、ボックス本体の上面部、下面部、左側面部及び右側面部の少なくとも１箇所に開口部を設けたことを特徴としている。
【００１２】
本発明の請求項５記載のスピーカー装置は、開口部には、スピーカーボックスの内側に突出するボックス側接続部を設け、そのボックス側接続部及びバスレフダクトのダクト側接続部のうち、一方の接続部にはテーパ部を設け、他方の接続部にはテーパ部に嵌合されるテーパ受け部を設けたことを特徴としている。
【００１３】
本発明の請求項６記載のスピーカー装置は、バスレフダクトには、スピーカーボックスのボスにねじ止めするための固定片を設け、その固定片にはボックス側接続部に向かって傾斜した斜面部を設けると共に、ボスには斜面部に対応して同方向に傾斜した斜受面部を設け、ねじ止め時に斜面部を斜受面部に沿って移動させてダクト側接続部をボックス側接続部に圧接したことを特徴としている。
【００１４】
また、本発明の請求項７記載のスピーカー装置は、固定片はバスレフダクトの中心線を挟んで両側に一対設けると共に、スピーカーボックスの一対の固定片と対応する位置にボスを一対設けたことを特徴としている。
【発明の効果】
【００１５】
本発明の請求項１記載のスピーカー装置によれば、スピーカーボックスのスピーカーユニットが取り付けられた面と直交する面に開口部を設け、その開口部に接続されるバスレフダクトを、スピーカーユニットの音波が放射される方向と直交する方向に延在させる構成としたため、スピーカーボックスの薄型化を図ることができ、フラットパネルディスプレイ装置等のように薄型化の要求が極めて高い電子機器に用いて好適なスピーカー装置を提供することができる。
【００１６】
本発明の請求項２記載のスピーカー装置によれば、スピーカーボックスの開口部及びバスレフダクトを、スピーカーユニットを挟んで線対称又は点対称となるように配置する構成とすることにより、スピーカーユニットの背面に放射される音波の一部を、一対のバスレフダクトを通して前面からの音波と位相をそろえてバランス良く放射させ、低音部の音波を効率よく増強することができる。
【００１７】
本発明の請求項３又は４記載のスピーカー装置によれば、スピーカーボックスをボックス本体と蓋体とで構成し、そのボックス本体の上面部、下面部、左又は右側面部の少なくとも１箇所に開口部を設けてバスレフダクトを取り付ける構成とすることにより、構成の簡単なスピーカーボックスに対してバスレフダクトを効果的に取り付けて、低音部の音波を効率よく増強することができる。
【００１８】
本発明の請求項５記載のスピーカー装置によれば、開口部にボックス側接続部を設け、そのボックス側接続部及びバスレフダクトのダクト側接続部のうち、一方の接続部にはテーパ部を、他方の接続部にはテーパ受け部を設ける構成とすることにより、スピーカーボックスとバスレフダクトとの接続を、高い気密性を持たせて簡単且つ確実に行うことができる。
【００１９】
本発明の請求項６記載のスピーカー装置によれば、バスレフダクトには斜面部を有する固定片を設け、これを支持するスピーカーボックスのボスには斜受面部を設ける構成とすることにより、バスレフダクトのねじ止め作業に際して、そのねじによる締付力に基づきバスレフダクトにボックス側接続部に向かう力を付与し、ダクト側接続部とボックス側接続部との嵌合力を高めて、バスレフダクトをスピーカーボックスに対して確実且つ強固に接続することができる。
【００２０】
また、本発明の請求項７記載のスピーカー装置によれば、バスレフダクトに一対の固定片を設けると共に、これに対応して一対のボスを設ける構成とすることにより、バスレフダクトをスピーカーボックスに対してバランス良くしっかりと固定することができ、接続部から音漏れを発生するおそれがないようにすることができる。
【発明を実施するための最良の形態】
【００２１】
スピーカーボックスの薄型化を図ることができ、フラットパネルディスプレイ装置等のように薄型化の要求が極めて高い電子機器に用いて好適なスピーカー装置を、簡単な構成によって実現した。
【実施例１】
【００２２】
以下、本発明の実施の形態を、添付図面を参照して説明する。図１〜図１２は、本発明に係るスピーカー装置の実施の形態の例を説明するものである。即ち、図１は本発明のスピーカー装置が用いられたフラットパネルディスプレイ装置の正面側の斜視図、図２は同じく背面側の斜視図、図３はスピーカーボックスのボックス本体の内部を示す斜視図、図４はボックス本体に蓋体を嵌め合わせる前の斜視図、図５は同じくボックス本体に蓋体を嵌め合わせた後の斜視図、図６Ａ，Ｂはボックス本体に蓋体を嵌め合わせる前後の断面図、図７は図４の要部を拡大した説明図、図８Ａ，Ｂは図６Ａ，Ｂの要部を拡大した説明図、図９Ａ，Ｂはバスレフダクトの正面図及び一部を断面した底面図、図１０Ａ，Ｂはバスレフダクトを接続する前後の説明図、図１１はバスレフダクト接続部の断面図、図１２Ａ，Ｂ及びＣはバスレフダクトの配置の他の例を示す説明図である。
【００２３】
図１及び図２に示すように、フラットパネルディスプレイ装置１は、ディスプレイ本体２と、このディスプレイ本体２を支持するスタンド１０と、により構成されている。
【００２４】
ディスプレイ本体２は、前面に３７〜５０インチの大型の画面３を有し、且つ機体の厚みが１０ｃｍ未満の超薄型に形成されたプラズマ方式のテレビジョン装置である。このディスプレイ本体２においては、画面３の左右両側にスピーカー４，５が内蔵されており、この左右のスピーカー４，５からステレオ音声が出力されるようになっている。なお、このディスプレイ本体２のスピーカー４，５からは、主に中高音域の音声が出力される。
【００２５】
一方、ディスプレイ本体２を支持するスタンド１０は、床面に接するベース板１１に脚体１２を立設し、その上に台座板１３を水平に固定して構成され、この台座板１３上にディスプレイ本体２が載置支持される。更に、スタンド１０には、ディスプレイ本体２の背面側を支持する２本の支柱１４，１５が台座板１３の左右両端部から垂直に立設されており、この支柱１４，１５にビス止めによってディスプレイ本体２を固定して一体化するものである。
【００２６】
なお、このスタンド１０において脚体１２は、ベース板１１に対して左右に回転及び前後に傾斜調整が可能に構成されており、これによってディスプレイ本体２の画面の角度を任意に可変調整することができるようになっている。
【００２７】
そして、本実施例のフラットパネルディスプレイ装置１では、このスタンド１０の背面側に立設された左右の支柱１４及び１５の上部間に支持されるように、スピーカー２１，２２を内蔵したスピーカーボックス２０が装着されている。このスピーカーボックス２０に内蔵されるスピーカー２１，２２は、低音再生専用のスピーカーユニット(ウーハー)であり、スタンド１０に載せられたディスプレイ本体２と電気的に接続されて重低音を出力するものである。
【００２８】
このフラットパネルディスプレイ装置１において、ディスプレイ本体２の左右のスピーカー４，５の最大出力は夫々２５Ｗ、スタンド１０の背面側のスピーカーユニット２１，２２の最大出力は５０Ｗであり、ディスプレイ本体２とスタンド１０を組み合わせることにより、合計１００Ｗの大音量の音響システムが完成する構成となっている。
【００２９】
図３〜図６等に示すように、スピーカーボックス２０は、背面部が開口されたボックス本体２３と、このボックス本体２３の背面部に着脱可能に装着される蓋体２４とからなる筐体として構成されている。ボックス本体２３は、横長とされた長方形の正面部２３ａと、この正面部２３ａの上端縁に連続された上面部２３ｂと、正面部２３ａの下端縁に連続された下面部２３ｃと、正面部２３ａの左右両側に連続された左側面部２３ｄ及び右側面部２３ｅとを有している。
【００３０】
図３に示すように、ボックス本体２３の内部には、２つのスピーカーユニット２１，２２を取り付けるための２つのスピーカー取付部２５ａ，２５ｂと、２つのバスレフダクト２６，２７が接続される２つのボックス側接続部２８ａ，２８ｂと、２つのバスレフダクト２６，２７を支持するためのダクト支持部２９，２９と、蓋体２４を取り付けるための２種類のボス３０ａ，３０ｂとが設けられている。
【００３１】
２つのスピーカー取付部２５ａ，２５ｂは、正面部２３ａの内面の中央部において上下方向に一列となるよう縦並びに配置されている。この２つのスピーカー取付部２５ａ，２５ｂの前面には、音波を外に放射するための多数の透孔が設けられている。２つのスピーカーユニット２１，２２は、図示しない固定ねじによって各スピーカー取付部２５ａ，２５ｂに着脱可能に固定されている。
【００３２】
２つのボックス側接続部２８ａ，２８ｂは、ボックス本体２３の下面部２３ｃにおいて、２つのスピーカーユニット２１，２２に対して左右方向へ線対称となるよう所定の間隔をあけて設けられている。各ボックス側接続部２８ａ，２８ｂは、内側に少々絞り込んだリング状の突起部からなり、その中央に開口された穴が、バスレフダクト２６，２７の穴に接続される開口部３１を構成している。図１０Ａ及び図１１に示すように、ボックス側接続部２８ａ，２８ｂの先端には、先細の円錐形をなすテーパ部３２が設けられている。各ボックス側接続部２８ａ，２８ｂには、バスレフダクト２６，２７のダクト側接続部２６ａ，２７ａがそれぞれ嵌合されている。
【００３３】
２つのバスレフダクト２６，２７は同一のものであり、図９Ａ，Ｂ等に示すような構成を有している。バスレフダクト２６，２７は、パイプ状のダクト本体３３と、このダクト本体３３の外周面に設けられた一対の固定片３４，３４と、ダクト本体３３の外周面であって軸方向の一端に設けられたストッパ部３５とを有している。そして、ダクト本体３３のストッパ部３５側の端部に、ボックス側接続部２８ａ，２８ｂの各テーパ部３２に嵌合される同じ傾斜角度を有するテーパ受け部３６が設けられている。
【００３４】
一対の固定片３４，３４は、ダクト本体３３の軸方向中途部において、直径方向の外側へ突出するよう左右対称形状に形成されている。各固定片３４は、軸方向に展開されると共に上下方向に所定の間隔をあけて設けた上面部３４ａ及び下面部３４ｂと、その上面部３４ａと下面部３４ｂとの間を適当な傾斜角度によって連結した斜面部３４ｃとを有している。上面部３４ａにはネジ孔３７が設けられており、そのネジ孔３７はダクト本体３３の軸方向に延在されている。このネジ孔３７に挿入される固定ねじ３８によってバスレフダクト２６，２７がボックス本体２３に締付固定される。
【００３５】
ストッパ部３５は、ボックス本体２３にバスレフダクト２６，２７を位置決め等することを目的として設けたものである。ストッパ部３５は、係合溝４０を形成する平面形状がコ字状をなす突条部からなり、係合溝４０の入口にはテーパ状に広げられた導入部４０ａが設けられている。この係合溝４０には、図１０Ａ，Ｂ及び図１１に示すように、ボックス本体２３のボックス側接続部２８ａ，２８ｂの下部に設けた位置決め片４１が係合される。この位置決め片４１の係合により、バスレフダクト２６，２７の軸方向であるボックス側接続部２８ａ，２８ｂ側への移動と、バスレフダクト２６，２７の回動とが防止される。
【００３６】
このようなバスレフダクト２６，２７をボックス側接続部２８ａ，２８ｂに接続した状態において支持する一対のダクト支持部２９，２９が、一対の固定片３４，３４と対応するボックス本体２３の正面部２３ａの内面にそれぞれ立設されている。各ダクト支持部２９は、ボックス側接続部２８ａ，２８ｂ側に張り出した補強片４２を有しており、その補強片４１の上端に、固定片３４の斜面部３４ｃに対応して同方向に傾斜した斜面受部４１ａが設けられている。
【００３７】
図３に示すように、２種類のボス３０ａ，３０ｂのうち第１のボス３０ａは、ボックス本体２３の、少々上向きに形成された上面部２３ｂの内面の中途部に設けられている。この実施例では、第１のボス３０ａは、横方向に適当な間隔をあけて５箇所に設定されている。また、第２のボス３０ｂは、ボックス本体２３の正面部２３ａの内面であって、下面部２３ｃ及び左右の側面部２３ｄ，２３ｅに沿って立設されている。この実施例では、第２のボス３０ｂは、８箇所に設定されている。なお、各ボス３０ａ，３０ｂの上部には、それらの上面に開口するねじ孔が設けられている。
【００３８】
このような構成を有するボックス本体２３の背面部を開閉可能とされた蓋体２４は、図４〜図６Ａ，Ｂに示すような構成を備えている。蓋体２４は、ボックス本体２３の背面部の全体を覆うことができる板体からなる。この蓋体２４の、ボックス本体２３の２種類のボス３０ａ，３０ｂに対応した位置には、ねじ止め用の座穴４４が設けられている。これらの座穴４４は、すべて蓋体２４の周縁に沿って設けられているため、蓋体２４の中央部をボックス本体２３側にねじ止めするための座穴４５が複数箇所（この実施例では４箇所）に設けられている。
【００３９】
この実施例では、蓋体２４は１７本の固定ねじによってボックス本体２３にねじ止めされている。そして、各座穴４４，４５の近傍には、蓋体２４をボックス本体２３に組み立てる際のねじ止め作業の目安となる識別マーク５０（この実施例では番号）が表示されている。この識別マーク５０は、ねじ締めの順番となる番号順に表示されており、まずは外周縁の中央部からコーナー部に向かって回り込み、最後に中心部おいて締込作業が完了するように配置されている。
【００４０】
このような識別マーク５０の番号順に従って固定ねじを締め込むことにより、ボックス本体２３に対して蓋体２４を全面に渡ってバランス好く締め付けることができ、蓋体２４の外周縁全体をボックス本体２３の外周縁全体に満遍なく密着させて密閉性を向上することができる。なお、この識別マーク５０は、射出成形する金型から蓋体２４を取り出すための突き出しピンの先端に刻印して設け、その突き出しピン跡を利用して形成することが好ましい。この場合には、識別マーク５０を刻印するための特別の設備や部品を設ける必要がなく、既存の金型を利用できるため、金型費用のアップを招くことがない。図４及び図５に示す符号４７は、スピーカーボックス２０をアーム１４，１５に固定するためのねじ止め部である。
【００４１】
このように嵌め合わされるボックス本体２３と蓋体２４との接合部は、図７及び図８Ａ，Ｂに拡大して断面図示するような密閉構造とされている。即ち、ボックス本体２３には、断面形状がＶ字形をなすテーパ溝５２が外縁部の全周に渡って連続して設けられている。これに対して、蓋体２４には、断面形状がＶ字形をなすテーパ突条５３が外縁部の全周に渡って連続して設けられている。
【００４２】
このように、ボックス本体２３の周縁部に、外側に傾斜する外側傾斜面５２ａと、この外側傾斜面５２ａに対して略直角に折り返した傾斜面からなる内側傾斜面５２ｂとによってテーパ溝５２を形成する。そして、これら外側傾斜面５２ａと内側傾斜面５２ｂとに対応して、外側傾斜面５３ａと、この外側傾斜面５３ａに対して略直角に折り返した傾斜面からなる内側傾斜面５３ｂとを設けてテーパ突条５３を形成する。このテーパ突条５３をテーパ溝５２にテーパ嵌合することにより、ボックス本体２３に対する蓋体２４の密着性を極めて高いものにすることができる。
【００４３】
このような構成を有するスピーカーボックス２０は、例えば、次のようにして簡単に組み立てることができる。図３に示すように、まず、ボックス本体２３の２箇所のスピーカー取付部２５ａ，２５ｂに、所定のスピーカーユニット（ウーハー）２１，２２をそれぞれねじ止めして取り付ける。
【００４４】
次に、２つのバスレフダクト２６，２７を、ボックス本体２３の２つのボックス側接続部２８ａ，２８ｂにそれぞれ組み立てる。この組立作業は、次のようにして行うことができる。まず、図１０Ａに示すように、ボックス側接続部２８ａ（又は２８ｂ）にダクト本体３３の一端に設けたダクト側接続部２６ａ（又は２７ａ）側を臨ませる。このとき、各バスレフダクト２６，２７に設けた一対の固定片３４，３４の各下面部３４ｂが、ボックス本体２３の一対のダクト支持部２９，２９の上面に接触される。
【００４５】
次に、各固定片３４の斜面部３４ｃを、各ダクト支持部２９と一体に設けた補強片４２の斜面受部４２ａに沿って移動し、図１０Ｂに示すように、バスレフダクト２６（又は２７）のダクト側接続部２６ａ（又は２７ａ）をボックス側接続部２８ａ（又は２８ｂ）に嵌合させる。このとき、各バスレフダクト２６，２７のストッパ部３５の係合溝４０に、ボックス本体２３の位置決め片４１がそれぞれ係合される。
【００４６】
続いて、図３に示すように、固定ねじ３８で固定片３４を締め付けることにより、斜面受部４２ａからの反力によってバスレフダクト２６（又は２７）には、ボックス側接続部２８ａ（又は２８ｂ）側に押圧される力が付与される。そのため、バスレフダクト２６（又は２７）は、図１１に示すように、ダクト側接続部２６ａ（又は２７ａ）がボックス側接続部２８ａ（又は２８ｂ）に圧接され、強固に嵌合された状態で接続される。
【００４７】
その後、図４〜図６Ａ，Ｂに示すように、ボックス本体２３の背面側の開口部に蓋体２４を嵌め合わせる。これにより、図７及び図８Ａ，Ｂに示すように、蓋体２４の内面の外周縁に設けたテーパ突条５３が、ボックス本体２３の開口部の外周縁に設けたテーパ溝５２に嵌合される。このテーパ嵌合状態において、蓋体２４に設けた識別マーク５０に表示された番号順に固定ねじを締め込み、複数本の固定ねじによって蓋体２４をボックス本体２３に締付固定する。
【００４８】
このとき、ボックス本体２３と蓋体２４の接合部の全周には、一方にＶ字形の凹部からなるテーパ溝５２を設け、これに見合うＶ字形の凸部からなるテーパ凸条５３を他方に設けてねじ止めする構成としたため、ねじ止め部の間の辺の逃げや、歪の発生を矯正して、互いに密着させることができる。しかも、固定ねじによる締結に関しては、できるだけ等間隔に配置して締結力が均等に働くように配慮し、蓋体２４の辺の中央から締め始めて、コーナー部に向かう順番にねじ止めが行われるように識別マークを設けたことから、理想的な密閉環境を量産化によっても実現できるようになった。
【００４９】
更に、本実施例によれば、シーリング材を用いる必要がないため、それらの部品コストを削減することができる。しかも、シーリング材を用いないために環境問題にも非常に好ましく、スピーカーボックスの組立性、分解性の向上を図ることができる。更に、蓋体２４をボックス本体２３に固定するための固定ねじは、すべて蓋体２４に設けた座穴４４，４５内に収納され、固定ねじの頭部が蓋体２４の表面に露出することがないため、体裁面にねじ頭部を見せることなく安定した締結状態を得ることができる。
【００５０】
このような構成を有するスピーカー装置では、次のようにして、低音部の音波が放射される。即ち、２つのスピーカーユニット２１，２２の音の一部が、その前面であるスピーカーボックス２０のボックス本体２３の正面部２３ａの中央部に設けられた多数の透孔からフラットパネルディスプレイ装置１の背面側に放射される。これと同時に、２つのスピーカーユニット２１，２２の背面からスピーカーボックス２０内に放射された音波が、２つのバスレフダクト２６，２７を通して、スピーカーボックス２０の下面部２３ｃに設けた２つの開口部３１，３１からボックス外に放射される。この開口部３１から放射された音が、前面からの音波と位相をそろえて放射されることにより、低音部の増強をさせて迫力のある低音を発生することができる。
【００５１】
図１２に示すＡ〜Ｃは、バスレフダクト２６，２７の配置構造の他の実施例を示すものである。図１２Ａは、スピーカーユニット２１，２２に対して２つのバスレフダクト２６，２７を点対称となるように配置したものである。即ち、前記実施例における第２のボックス側接続部２８ａをボックス本体２３の上面部２３ｂに設け、そのボックス側接続部２８ａに第２のバスレフダクト２７を接続して、吊り下げるように構成したものである。このような構成とすることによっても、前記実施例と同様の効果を得ることができる。
【００５２】
図１２Ｂ及びＣは、２つのバスレフダクト２６，２７を横向きに配置し、左右側方から音波が放射されるように構成したものである。即ち、図１２Ｂは、スピーカーユニット２１，２２に対して２つのバスレフダクト２６，２７を線対称に配置したもので、２つのスピーカーユニット２１，２２を挟んで両側に、互いに対向するように２つのバスレフダクト２６，２７が配置されている。また、図１２Ｃは点対称に配置したもので、２つのスピーカーユニット２１，２２を挟んで両側に、上下方向に変位させて２つのバスレフダクト２６，２７が配置されている。これらの実施例では、音波が側方から放射されるため、前記実施例の支柱１４，１５による左右方向からの支持構造ではなく、上下方向からの支持構造となるように構成する。
【産業上の利用可能性】
【００５３】
以上説明したが、本願発明は前記実施例に限定されるものではなく、例えば、前記実施例においては２つのスピーカーユニット２１，２２を中心に２つのバスレフダクト２６，２７を線対称又は点対称に配置したが、スピーカーユニットは１つでも良く、また３つ以上であってもよい。また、前記実施例では、電子機器の一具体例としてフラットパネルディスプレイ装置に適用した例について説明したが、例えば、ステレオコンポーネント、ビデオプロジェクタ等のようにスピーカー装置を必要とするものであれば、各種の電子機器に適用できることは勿論である。このように、本願発明は、その要旨を変更しない範囲で各種の変更実施が可能である。
【図面の簡単な説明】
【００５４】
【図１】本発明のスピーカー装置が適用された電子機器の一実施例を示すフラットパネルディスプレイ装置を正面側から見た斜視図である。
【図２】本発明のスピーカー装置が適用された電子機器の一実施例を示すフラットパネルディスプレイ装置を背面側から見た斜視図である。
【図３】本発明のスピーカー装置に係るスピーカーボックスのボックス本体の内面を示す斜視図である。
【図４】本発明のスピーカー装置に係るスピーカーボックスのボックス本体に蓋体を嵌め合わせる前の斜視図である。
【図５】本発明のスピーカー装置に係るスピーカーボックスのボックス本体に蓋体を嵌め合わせた後の斜視図である。
【図６】本発明のスピーカー装置に係るスピーカーボックスを断面して示すもので、同図Ａはボックス本体に蓋体を嵌め合わせる前の状態、同図Ｂはボックス本体に蓋体を嵌め合わせた後の状態のそれぞれ断面図である。
【図７】図４の要部を拡大して示す説明図である。
【図８】図８Ａは図６Ａの要部を拡大した断面図、同図Ｂは図６Ｂの要部を拡大した断面図である。
【図９】本発明のスピーカー装置に係るバスレフダクトを示すもので、同図Ａは正面図、同図Ｂは底面図である。
【図１０】本発明のスピーカー装置に係るスピーカーボックスを断面して示すもので、同図Ａはバスレフダクトをボックス本体に接続する前の状態、同図Ｂはバスレフダクトをボックス本体に接続した後の状態のそれぞれ説明図である。
【図１１】本発明のスピーカー装置に係るスピーカーボックスのバスレフダクト部分の断面図である。
【図１２】本発明のスピーカー装置に係るバスレフダクトの配置構造の他の例を示すもので、同図Ａはスピーカーユニットを中心に２つのバスレフダクトを上下方向に延在させて点対称に配置した例、同図Ｂはスピーカーユニットを中心に２つのバスレフダクトを左右方向に延在させて線対称に配置した例、同図Ｃはスピーカーユニットを中心に２つのバスレフダクトを左右方向に延在させて点対称に配置した例、をそれぞれ示す説明図である。
【符号の説明】
【００５５】
１‥フラットパネルディスプレイ装置、  ２‥ディスプレイ本体、  ４，５‥スピーカー、  １０‥スタンド、  １４，１５‥支柱、  ２０‥スピーカーボックス、  ２１，２２‥スピーカーユニット、  ２３‥ボックス本体、  ２４‥蓋体、  ２６，２７‥バスレフダクト、  ２６ａ，２７ａ‥ダクト側接続部、  ２８ａ，２８ｂ‥ボックス側接続部、  ２９‥ダクト支持部、  ３０ａ，３０ｂ‥ボス、  ３１‥開口部、  ３２‥テーパ部、  ３３‥ダクト本体、  ３４‥固定片、  ３５‥ストッパ部、  ３６‥テーパ受け部、  ４１‥位置決め片、  ４４，４５‥座穴、  ５０‥識別マーク、  ５２‥テーパ溝、  ５３‥テーパ突条
【図１】
2006033100.tif 000003
【図２】
2006033100.tif 000004
【図３】
2006033100.tif 000005
【図４】
2006033100.tif 000006
【図５】
2006033100.tif 000007
【図６】
2006033100.tif 000008
【図７】
2006033100.tif 000009
【図８】
2006033100.tif 000010
【図９】
2006033100.tif 000011
【図１０】
2006033100.tif 000012
【図１１】
2006033100.tif 000013
【図１２】
2006033100.tif 000014